(57)【要約】【課題】高温エリアの底部の温度が他の部位の温度より低くなるのを解消して、商品の食感や食味が損なわれるのを防止でき、しかも高温エリアの内部の加温された空気がショーケースの外へ散逸するのを防止できる２温度式のショーケースを提供する。【解決手段】２温度式のショーケースの低温エリアＡ１に、第１通路４と中間ダクト９の第１吹出口１１を介して冷気を送給する。第２通路５と第２吹出口１２を介して常温の空気を循環させて、両エリアＡ１・Ａ２の前面にエアーカーテンを形成する。第１通路４の上側に、第２通路５から分岐した第３通路６を連続させ、これらの通路４・６を中間ダクト９のダンパー部４１で上下に区分する。第３通路６の内部にヒーター２３を配置して、加温された空気を第３吹出口１３から高温エリアＡ２に吹出して、同エリアの底部分が低温になるのを防ぐ。【選択図】図１
2014037916.tif 000002
【特許請求の範囲】
【請求項１】
本体ケース（１）と陳列室（２）を区画する内ケース（３）とを有し、陳列室（２）の内部が中間ダクト（９）で下側の低温エリア（Ａ１）と、上側の高温エリア（Ａ２）とに区分してある２温度式のショーケースであって、
中間ダクト（９）の前部には、第１通路（４）を介して供給される冷気を、低温エリア（Ａ１）の下端前部の吸込口（１０）へ向かって吹出す第１吹出口（１１）が設けられており、
高温エリア（Ａ２）の上端前部には、循環ファン（１５）と蒸発器（１６）との間の第１通路（４）から分岐された第２通路（５）を介して供給される循環空気を、前記吸込口（１０）へ向かって吹出す第２吹出口（１２）が設けられており、
陳列室（２）に臨む内ケース（３）の後壁（３ａ）には、両エリア（Ａ１・Ａ２）に向かって冷気または加温空気を吹出す第３吹出口（１３）と、中間ダクト（９）を差込み装着するためのダンパー開口（１４）とが多段状に配置されており、
第２通路（５）の中途部から分岐されて、循環空気の一部を第３吹出口（１３）へ向かって送給する第３通路（６）の内部にヒーター（２３）が配置されており、
第３通路（６）は、第１通路（４）の上側に連続する状態で設けられて、中間ダクト（９）に設けたダンパー部（４１）のダンパー開口（１４）に対する装着位置の違いに応じて、前記両通路（４・６）の上下方向の区分位置を変更可能であり、
ヒーター（２３）で加熱された加温空気を第３吹出口（１３）から高温エリア（Ａ２）へ向かって吹出して、高温エリア（Ａ２）の底部が中間ダクト（９）を通過する冷気で冷却されるのを防止する２温度式のショーケース。
【請求項２】
第１通路（４）が、低温エリア（Ａ１）の底部に沿う底通路（４ａ）と、低温エリア（Ａ１）の後部に沿う縦通路（４ｂ）とで構成されており、
縦通路（４ｂ）と第３通路（６）とは、内ケース（３）の後壁（３ａ）と、同壁（３ａ）と本体ケース（１）との間に配置した中間壁（１７）との間に区画されており、
第１通路（４）の縦通路（４ｂ）と第３通路（６）との左右両側に吹出チャンバー（２７）が区画されており、
第３通路（６）および縦通路（４ｂ）と吹出チャンバー（２７）とは、これらを左右に区分する縦隔壁（３１）に開口した通口（３２）を介して連通しており、
吹出チャンバー（２７）の前面を覆う吹出壁（３３）に第１吹出穴（２８）の一群が開口されており、
縦通路（４ｂ）と通口（３２）を介して吹出チャンバー（２７）に送給された冷気を、第１吹出穴（２８）から低温エリア（Ａ１）へ吹出供給し、
第３通路（６）と通口（３２）を介して吹出チャンバー（２７）に送給された加温空気を、第１吹出穴（２８）から高温エリア（Ａ２）へ吹出供給することを特徴とする請求項１に記載の２温度式のショーケース。
【請求項３】
吹出チャンバー（２７）は、各ダンパー開口（１４）に対応して配置した横隔壁（２９）で上下多段状に区画された小区画（３０）で構成されており、
第３通路（６）および縦通路（４ｂ）と各小区画（３０）とは、これらを左右に区分する縦隔壁（３１）に開口した通口（３２）を介して連通しており、
吹出チャンバー（２７）の前面を覆う吹出壁（３３）に、各小区画（３０）ごとに第１吹出穴（２８）が開口されており、
縦通路（４ｂ）と通口（３２）を介して各小区画（３０）に送給された冷気を、第１吹出穴（２８）から低温エリア（Ａ１）へ吹出供給し、
第３通路（６）と通口（３２）を介して各小区画（３０）に送給された加温空気を、第１吹出穴（２８）から高温エリア（Ａ２）へ吹出供給することを特徴とする請求項２に記載の２温度式のショーケース。
【請求項４】
最下段のダンパー開口（１４）より下側の後壁（３ａ）に、一群の第２吹出穴（３６）が開口されており、
第１通路（４）内に送給された熱交換後の冷気の一部を、第１吹出穴（２８）、および第２吹出穴（３６）から低温エリア（Ａ１）へ吹出し供給する請求項２または３に記載の２温度式のショーケース。
【請求項５】
第１通路（４）の底通路（４ａ）に循環ファン（１５）が配置され、縦通路（４ｂ）の下部に蒸発器（１６）が配置されており、
蒸発器（１６）の上端より上方の後壁（３ａ）の後面にせき止壁（３７）が突出されており、
蒸発器（１６）を通過した熱交換後の冷気の一部をせき止壁（３７）でせき止めて、前記第２吹出穴（３６）へ向かって変向案内しており、
せき止壁（３７）より下方の第１通路（４）の下端部に、熱交換後の冷気の温度を検出する第１温度センサー（３８）が配置してある請求項２、３または４のいずれかひとつに記載の２温度式のショーケース。
【請求項６】
第２通路（５）の中途部に、同通路（５）を通過する循環空気の一部を第３通路（６）へ向かって流動案内する分岐構造が設けられており、
分岐構造が、中間壁（１７）の上部から後壁（３ａ）へ向かって突出される下分岐壁（２１）と、下分岐壁（２１）より上方の後壁（３ａ）から突出されて循環空気の一部をせき止める上分岐壁（２２）とで構成されており、
下分岐壁（２１）の前端にシーズヒーター（２３）が配置され、下分岐壁（２１）の下面の近傍に、シーズヒーター（２３）で加熱された加温空気の温度を検出する第２温度センサー（２４）が配置してある請求項２から５のいずれかひとつに記載の２温度式のショーケース。
【発明の詳細な説明】
【技術分野】
【０００１】
本発明は、ショーケースの陳列室に低温エリアと、同エリアより高い温度状態に維持される高温エリアとが設けてある２温度式のショーケースに関する。
【背景技術】
【０００２】
この種のショーケースは、例えば特許文献１に公知である。そこでは、陳列室を仕切板で上下に区分して、仕切板より下側の冷却ゾーン（低温エリア）と、仕切板より上側の加温ゾーン（高温エリア）とを設けている。加温ゾーンに配置される個々の棚板には面状ヒーターが設けてあり、棚板に載置された商品を加熱することができる。仕切板には、陳列室の背面の冷気通路を遮断するダンパーと、ダンパーで案内された冷気を冷却ゾーンへ向かって送給するためのダクトが設けてあり、冷気通路をダンパー遮断した状態では、冷気の全量を冷却ゾーンへ供給できる。仕切板の上面には、面状ヒーターからなる補助ヒーターが設けてあり、補助ヒーターで仕切板の真上の棚板を加熱して、棚板の温度が仕切板を通過する冷気で冷却されて低下するのを解消している。
【０００３】
本発明に係る２温度式のショーケースでは、冷気循環用の冷気通路とは別に空気循環用の空気通路を設けて、低温エリアの前面に５℃前後の冷気エアーカーテンを形成し、さらに高温エリアの前面、および冷気のエアーカーテンの前側に２０℃の常温のエアーカーテンを形成するが、この種のショーケースは特許文献２に開示されている。そこでは、陳列室の後壁の上下中途部に、ダクト機能を備えたエリア区分板を配置して、陳列室の内部を下方の低温エリアと、上方の高温エリアとに区分している。低温エリアの背面には冷気循環ダクトが配置され、その内部に蒸発器と循環ファンを配置して、熱交換後の冷気をエリア区分板を介して低温エリアの内部へ供給できるようにしている。また、冷気循環ダクトの後には、空気循環用のダクトが配置してあり、その内部に循環ファンを配置して、高温エリアの前面から低温エリアの前面にわたって、エアーカーテンを形成できるようにしている。
【０００４】
また、本発明に係る２温度式のショーケースでは、シーズヒーターで加温した空気を、中間ダクトの真上の棚板に向かって吹出すが、高温エリア内の空気を加温する熱源としてシーズヒーターを使用することは、特許文献３のショーケースに開示してある。なお、特許文献３のショーケースにおいては、冷気の一部を高温エリアの上端前部に設けた吹出口から吹出して、冷気のエアーカーテンを前後二重に形成している。また、区画棚の上面にはプレートヒーターを配置している。
【先行技術文献】
【特許文献】
【０００５】
【特許文献１】特開２００６−４６８８５号公報（段落番号００２１、図１、図２）
【特許文献２】特開平５−１３３６７１号公報（段落番号００１０、図１）
【特許文献３】特開平７−１０３６４３号公報（段落番号００１６、図２）
【発明の概要】
【発明が解決しようとする課題】
【０００６】
特許文献１の２温度式のショーケースによれば、仕切板の真上の棚板の温度が、加温ゾーンに設けた他の棚板の温度より低下するのを解消できる。しかし、冷気通路に供給された冷気の全てを、仕切板のダクトを介して冷却ゾーンへ循環させるので、２温度式のショーケースとして使用するとき、加温ゾーンの前面の開口部分にエアーカーテンを形成することができない。そのため、加温ゾーンの内部の加温された空気が、ショーケースの外へ散逸するのを避けられず、熱エネルギーが無駄に消費され、ショーケースの消費電力量が多くなる。また、仕切板の上面に配置した面状ヒーターを熱源にして、仕切板の上面側の空気を介して棚板を加熱するので、熱の一部が仕切板の側へ伝導し、さらに面状ヒーターから棚板の下面に滞留する空気への熱伝導を効果的に行えないため、棚板を効率よく加熱できない。
【０００７】
さらに、特許文献１の２温度式のショーケースにおいては、冷却ゾーンの後壁に多数個の小穴を形成して、冷気通路に供給された冷気の一部を一群の小穴から吹出して、冷却ゾーンの冷却むらを防止できるようにしている。しかし、多くの場合には、冷却ゾーンの後壁の中央部分に位置する小穴に比べて、後壁の左右両端に位置する小穴から吹出される冷気の量は少なく、そのため、冷却ゾーンの内部を均等に冷却できない。とくに、左右方向の幅寸法が大きなショーケースにおいて、冷却ゾーンの左右両端の領域に収納された商品を適正に冷却できないことがある。
【０００８】
特許文献２の２温度式のショーケースによれば、高温エリアの前面から低温エリアの前面にわたって常温のエアーカーテンを形成するので、高温エリアの内部の空気がショーケースの外へ漏れ出ることはない。しかし、エリア区分板の上面の棚板に載置した商品が、エリア区分板の内部を通過する冷気で冷却されるのを避けられない。そのため、高温エリアの底部分に陳列した商品の温度を適温（１５〜２０℃）に維持できず、商品の食感や食味が損なわれてしまう。
【０００９】
特許文献３の２温度式のショーケースにおいては、冷気のエアーカーテンを高温エリアおよび低温エリアの前面に前後二重に形成するので、高温エリアの内部の空気がショーケースの外へ漏れ出ることはない。しかし、吹出口から吹出された冷気の一部が、高温エリアに入り込むのを避けられず、高温エリアを加温するために赤外線ランプ、シーズヒーター、プレートヒーターなどを併用する必要があり、エネルギー消費が大きい点に問題がある。
【００１０】
本発明の目的は、高温エリアの底部の温度が、高温エリアの他の部位の温度より低くなるのを解消して、商品の食感や食味が損なわれるのを防止でき、しかも高温エリアの内部の加温された空気がショーケースの外へ散逸するのを防止し、あるいは高温エリアを効果的に加温して、エネルギーの無駄な消費を解消できる２温度式のショーケースを提供することにある。
本発明の目的は、低温エリアおよび高温エリアの内部温度を均一化でき、とくに、左右方向の幅寸法が大きなショーケースであっても低温エリアおよび高温エリアに収納した商品を適正に冷却ないし常温の状態に維持することができる２温度式のショーケースを提供することにある。
【課題を解決するための手段】
【００１１】
本発明は、本体ケース１と陳列室２を区画する内ケース３とを有し、陳列室２の内部が中間ダクト９で下側の低温エリアＡ１と、上側の高温エリアＡ２とに区分してある２温度式のショーケースを適用対象とする。中間ダクト９の前部には、第１通路４を介して供給される冷気を、低温エリアＡ１の下端前部の吸込口１０へ向かって吹出す第１吹出口１１を設ける。高温エリアＡ２の上端前部には、循環ファン１５と蒸発器１６との間の第１通路４から分岐された第２通路５を介して供給される循環空気を、前記吸込口１０へ向かって吹出す第２吹出口１２を設ける。陳列室２に臨む内ケース３の後壁３ａには、両エリアＡ１・Ａ２に向かって冷気または加温空気を吹出す第３吹出口１３と、中間ダクト９を差込み装着するためのダンパー開口１４とを多段状に配置する。第２通路５の中途部から分岐されて、循環空気の一部を第３吹出口１３へ向かって送給する第３通路６の内部にヒーター２３を配置する。第３通路６は、第１通路４の上側に連続する状態で設けられて、中間ダクト９に設けたダンパー部４１のダンパー開口１４に対する装着位置の違いに応じて、前記両通路４・６の上下方向の区分位置が変更可能になっている。ヒーター２３で加熱された加温空気を第３吹出口１３から高温エリアＡ２へ向かって吹出して、高温エリアＡ２の底部が中間ダクト９を通過する冷気で冷却されるのを防止する。
【００１２】
第１通路４は、低温エリアＡ１の底部に沿う底通路４ａと、低温エリアＡ１の後部に沿う縦通路４ｂとで構成する。縦通路４ｂと第３通路６とは、内ケース３の後壁３ａと、同壁３ａと本体ケース１との間に配置した中間壁１７との間に区画する。図３に示すように、第１通路４の縦通路４ｂと第３通路６との左右両側に吹出チャンバー２７を区画する。第３通路６および縦通路４ｂと吹出チャンバー２７とは、これらを左右に区分する縦隔壁３１に開口した通口３２を介して連通している。吹出チャンバー２７の前面を覆う吹出壁３３に第１吹出穴２８の一群を開口する。縦通路４ｂと通口３２を介して吹出チャンバー２７に送給された冷気を、第１吹出穴２８から低温エリアＡ１へ吹出供給する。また、第３通路６と通口３２を介して吹出チャンバー２７に送給された加温空気を、第１吹出穴２８から高温エリアＡ２へ吹出供給する。
【００１３】
図８、９および１０に示すように、吹出チャンバー２７は、各ダンパー開口１４に対応して配置した横隔壁２９で上下多段状に区画された小区画３０で構成する。第３通路６および縦通路４ｂと各小区画３０とは、これらを左右に区分する縦隔壁３１に開口した通口３２を介して連通する。吹出チャンバー２７の前面を覆う吹出壁３３に、各小区画３０ごとに第１吹出穴２８を開口する。縦通路４ｂと通口３２を介して各小区画３０に送給された冷気を、第１吹出穴２８から低温エリアＡ１へ吹出供給する。さらに、第３通路６と通口３２を介して各小区画３０に送給された加温空気を、第１吹出穴２８から高温エリアＡ２へ吹出供給する。
【００１４】
最下段のダンパー開口１４より下側の後壁３ａに、一群の第２吹出穴３６を開口する（図３参照）。第１通路４内に送給された熱交換後の冷気の一部を、第１吹出穴２８、および第２吹出穴３６から低温エリアＡ１へ吹出し供給する。
【００１５】
第１通路４の底通路４ａに循環ファン１５を配置し、縦通路４ｂの下部に蒸発器１６を配置する。蒸発器１６の上端より上方の後壁３ａの後面にせき止壁３７（図２参照）を突出する。蒸発器１６を通過した熱交換後の冷気の一部をせき止壁３７でせき止めて、前記第２吹出穴３６へ向かって変向案内する。せき止壁３７より下方の第１通路４の下端部に、熱交換後の冷気の温度を検出する第１温度センサー３８を配置する。
【００１６】
第２通路５の中途部に、同通路５を通過する循環空気の一部を第３通路６へ向かって流動案内する分岐構造を設ける。図１に示すように分岐構造は、中間壁１７の上部から後壁３ａへ向かって突出される下分岐壁２１と、下分岐壁２１より上方の後壁３ａから突出されて循環空気の一部をせき止める上分岐壁２２とで構成する。下分岐壁２１の前端にシーズヒーター２３を配置し、下分岐壁２１の下面の近傍に、シーズヒーター２３で加熱された加温空気の温度を検出する第２温度センサー２４を配置する。
【発明の効果】
【００１７】
本発明においては、陳列室２の内部が、中間ダクト９で下側の低温エリアＡ１と、上側の高温エリアＡ２とに区分してある２温度式のショーケースにおいて、冷気と常温空気を循環させて、低温エリアＡ１と高温エリアＡ２の温度状態を適正な状態に保持できるようにした。さらに、循環空気の一部を、第２通路５の中途部から分岐された第３通路６内へ導入し、その内部に配置したヒーター２３で加熱した加温空気を高温エリアＡ２に吹出して、高温エリアＡ２の底部が中間ダクト９を通過する冷気で冷却されるのを防止できるようにした。
【００１８】
従って、本発明の２温度式のショーケースによれば、高温エリアＡ２の底部の温度が、高温エリアＡ２の他の部位の温度より低くなるのを解消して、中間ダクト９の真上に位置する棚板８に陳列された商品の食感や食味が損なわれるのを防止できる。しかも、低温エリアＡ１の前面を覆う冷気のエアーカーテンとは別に、陳列室２の前面全体を覆うエアーカーテンを設けて、高温エリアＡ２内の加温空気や、低温エリアＡ１内の冷気がショーケースの外へ漏れ出るのを確実に防止できるようにした。そのうえで、第３通路６の内部に配置したヒーター２３で加熱した加温空気を、内ケース３の後壁３ａに設けた第３吹出口１３から高温エリアＡ２に吹出して、高温エリアＡ２の内部を高温状態に保持できるようにした。従って、従来の２温度式のショーケースに比べて、余分な熱源を用意する必要もなく高温エリアＡ２の内部を効果的に加温して、エネルギーの無駄な消費を解消できる。また、ダンパー部４１のダンパー開口１４に対する装着位置を変更して、前記両通路４・６の上下方向の区分位置を変更できるので、中間ダクト９の装着位置が上下に変更される場合でも、冷気および加温空気を低温エリアＡ１および高温エリアＡ２に的確に供給できる。
【００１９】
第１通路４の縦通路４ｂと第３通路６との左右両側に吹出チャンバー２７を区画し、その前面に第１吹出穴２８の一群を開口したショーケースによれば、各エリアＡ１・Ａ２の左右両側の温度むらを解消して、各エリアＡ１・Ａ２の内部温度を均一化することができる。とくに、左右方向の幅寸法が大きなショーケースの場合には、低温エリアＡ１や高温エリアＡ２の左右側端の温度と中央部の温度とに差が生じやすいが、左右の第１吹出穴２８から冷気や加温空気を吹出すことにより、先のような温度むらを一掃することができる。従って、低温エリアＡ１および高温エリアＡ２に収納した商品を適正に冷却ないし常温の状態に維持することができる。
【００２０】
吹出チャンバー２７の内部には、縦通路４ｂから通口３２を介して横向きに送給された冷気と、第３通路６から通口３２を介して横向きに送給された加温空気とが同時に存在する。しかし、比重が大きな冷気が吹出チャンバー２７の上部へ流動することはなく、同様に比重が小さな加温空気が吹出チャンバー２７の下部へ流動することもない。そのため、冷気と加温空気との隣接部分において、両者の一部が混在する状態で第１吹出穴２８から低温エリアＡ１または高温エリアＡ２に吹出されるであろう。しかし、冷気と加温空気の殆どは、対応する各エリアＡ１・Ａ２へ適正に吹出されるので、低温エリアＡ１の温度状態、および高温エリアＡ２の温度状態を好適化することができ、各エリアＡ１・Ａ２に収納した商品を適正に冷却ないし常温の状態に維持できる。
【００２１】
吹出チャンバー２７を、横隔壁２９で上下多段状に区画された小区画３０で構成すると、ダンパー部４１で区分された冷気と加温空気とが、吹出チャンバー２７の内部で混じり合うのを避けることができる。詳しくは、中間ダクト９を任意のダンパー開口１４に装着した状態では、ダンパー部４１より下側の小区画３０に対して縦通路４ｂから冷気が送給され、ダンパー部４１より上側の小区画３０に対して第３通路６から加温空気が送給される。さらに、各小区画３０に送給された冷気および加温空気は、各小区画３０の前面に設けた第１吹出穴２８から、低温エリアＡ１あるいは高温エリアＡ２へと吹出される。このように、吹出チャンバー２７を多段状の小区画３０で構成すると、中間ダクト９の装着位置の如何にかかわらず、冷気と加温空気が吹出チャンバー２７の内部で混じり合うのを確実に防止できる。従って、低温エリアＡ１には冷気のみを、高温エリアＡ２には加温空気のみを供給して、各エリアＡ１・Ａ２の温度状態をさらに適正な状態に保持できる。
【００２２】
最下段のダンパー開口１４より下側の後壁３ａに一群の第２吹出穴３６を開口すると、冷気が行き渡りにくい低温エリアＡ１の下後隅部分を、第２吹出穴３６から吹出される冷気と、第１吹出穴２８から吹出されて降下する冷気とで確実に冷却することができる。従って、低温エリアＡ１に商品が満杯状態で収納してある場合であっても、全ての商品をむらなく均等に冷却することができる。
【００２３】
蒸発器１６の上端より上方の後壁３ａの後面にせき止壁３７を設け、熱交換後の冷気の一部をせき止壁３７でせき止めて、一群の第２吹出穴３６へ向かって変向案内すると、第２吹出穴３６から吹出される冷気の量を増加できる。従って、冷気が行き渡りにくい低温エリアＡ１の底部分や下後隅部分に多数個の商品が詰め込まれている状態であっても、それらの商品をさらに確実に冷却することができる。また、せき止壁３７より下方の第１通路４の下端部に第１温度センサー３８を配置すると、蒸発器１６を通過した直後の冷気の温度を検出して、冷却負荷の変動に適切に対応した状態で冷凍装置を制御することができる。
【００２４】
第２通路５の中途部に設けた分岐構造を、下分岐壁２１と上分岐壁２２とで構成すると、第２通路５に沿って流動する循環空気の一部を上分岐壁２２でせき止めて、第３通路６へ向かって確実に流動案内することができる。また、下分岐壁２１の前端に配置したシーズヒーター２３で、第３通路６へ導入された循環空気を直接加熱することにより、シーズヒーター２３の熱の殆どを循環空気に伝導できるので、加温空気を効率よく生成できる。下分岐壁２１の下面の近傍に第２温度センサー２４を配置すると、シーズヒーター２３で加熱された直後の加温空気の温度状態を的確に検知できる。従って、第２通路５から導入された循環空気の温度が大きくばらつくような場合でも、シーズヒーター２３の駆動状態を適切に制御して、高温エリアＡ２の内部の温度状態を常に適正な状態に保持できる。
【図面の簡単な説明】
【００２５】
【図１】本発明に係る２温度式のショーケースにおける、中間ダクトの通路区分構造を示す縦断側面図である。
【図２】２温度式のショーケースの概略構造を示す縦断側面図である。
【図３】２温度式のショーケースの正面図である。
【図４】陳列室内部の正面図である。
【図５】図３におけるＡ−Ａ線断面図である。
【図６】冷気および加温空気の流動状態を示す概略斜視図である。
【図７】中間ダクトの保持構造を示す側面図である。
【図８】吹出チャンバーの別の実施例を示す縦断側面図である。
【図９】図８に係る吹出チャンバーの正面図である。
【図１０】図８に係る吹出チャンバーの冷気および加温空気の流動状態を示す概略斜視図である。
【発明を実施するための形態】
【００２６】
（実施例）  図１ないし図７は、本発明に係る２温度式のショーケースの実施例を示す。この実施例における前後、左右、上下とは、図２および図３に示す交差矢印と、各矢印の近傍に表記した前後、左右、上下の表示に従う。図２においてショーケースは、断熱材で内張りされた本体ケース１と、本体ケース１の内側に配置されて陳列室２を区画する内ケース３と、両ケース１・３の間に区画される第１通路（冷気通路）４および第２通路５と、第２通路５の中途部から分岐される第３通路６とを備えている。符号７は棚ブラケット、８は板ガラス製の棚板である。
【００２７】
陳列室２の内部は、内ケース３の上下中途部に配置した中間ダクト９で、中間ダクト９より下側の低温エリアＡ１と、中間ダクト９より上側の高温エリアＡ２とに区分してある。なお、低温エリアＡ１と高温エリアＡ２の上下高さは、後述するダンパー開口１４に対する中間ダクト９の上下方向の装着位置の違いで大小に変更することができる。
【００２８】
中間ダクト９の前部には、第１通路４を介して供給される冷気を、低温エリアＡ１の下端前部の吸込口１０へ向かって吹出す第１吹出口１１が設けてある。また、高温エリアＡ２の上端前部には、第２通路５を介して供給される循環空気を、吸込口１０へ向かって吹出す第２吹出口１２が設けてある。さらに、陳列室２に臨む内ケース３の後壁３ａの中央部分には、両エリアＡ１・Ａ２に向かって冷気または加温空気を吹出す第３吹出口１３と、中間ダクト９を差込み装着するためのダンパー開口１４とが交互に位置する状態で多段状に配置してある（図３参照）。この実施例では、第３吹出口１３の左右方向の直線列を上下９個所に、ダンパー開口１４を上下８個所に設けるようにした。また、第３吹出口１３は横長長円状に形成して、第１通路４および第３通路６に臨んで固定した帯状の板壁６０の左右５個所に開口した。板壁６０は、後述する縦隔壁３１の前端の締結壁にビスで締結してある。
【００２９】
ダンパー開口１４は、その後側に配置したドア１９で塞がれており、図１に示すように、ドア１９の上端左右は支軸を兼ねるビス６１で揺動開閉可能に支持してある。ドア１９は自重で閉じ位置へ復帰できる。各ドア１９の下部には接合壁１９ａが斜めに折曲げてあり、この接合壁１９ａを板壁６０の上端に配置した傾斜するゴムマグネット（磁石）２０で吸着することにより、各ドア１９を閉じ姿勢に保持している。
【００３０】
図２に示すように、第１通路４は、低温エリアＡ１の下部から後部にわたって形成した底通路４ａと、底通路４ａの後部から上向きに立ち上がる縦通路４ｂとで構成されており、その底通路４ａに循環ファン１５が配置され、縦通路４ｂの下部に蒸発器１６が配置してある。縦通路４ｂは、内ケース３の後壁３ａと、同壁３ａの後方に配置した中間壁１７との間に区画してある。図１に示すように中間壁１７の前面には、シール壁１８が先の後壁３ａと平行に設けてある。第１通路４を介して送給された冷気を、第１吹出口１１から吸込口１０へ向かって吹出すことにより、低温エリアＡ１の前面に冷気のエアーカーテンが形成される。
【００３１】
第２通路５は、循環ファン１５と蒸発器１６との間の第１通路４から分岐されており、本体ケース１の後および上部に沿って形成されて、循環ファン１５から送給される熱交換前の循環空気の一部を第２吹出口１２へ向かって送給案内する。第２通路５を介して送給された循環空気を、第２吹出口１２から吸込口１０へ向かって吹出すことにより、高温エリアＡ２の前面と、上記の冷気のエアーカーテンの前面とを覆う状態で常温のエアーカーテンが形成される。
【００３２】
第３通路６は、第２通路５の中途部に設けた分岐構造を介して分岐されて、第２通路５を通過する循環空気の一部を第３吹出口１３へ向かって送給案内する。第３通路６は、第１通路４の縦通路４ｂと同様に、内ケース３の後壁３ａと、同壁３ａの後方に配置した中間壁１７との間に区画されて、第１通路４の上側に連続しており、これら両通路４・６は、ダンパー開口１４に装着した中間ダクト９のダンパー部４１で上下に区分される。
【００３３】
つまり、中間ダクト９の上下のダンパー開口１４に対する装着位置にかかわらず、ダンパー部４１より下側の通路部分が縦通路４ｂとなり、ダンパー部４１より上側の通路部分が第３通路６となる。また、ダンパー部４１より下側の第３吹出口１３から、冷気が低温エリアＡ１へ向かって吹出され、ダンパー部４１より上側の第３吹出口１３から、加温空気または循環空気が高温エリアＡ２へ向かって吹出される。この実施例では、図２に示すように中間ダクト９のダンパー部４１が、上から２番目のダンパー開口１４に差込み装着してある状態を示している。
【００３４】
図１において分岐構造は、中間壁１７の上部から後壁３ａへ向かって突出される下分岐壁２１と、下分岐壁２１より上方の後壁３ａから後向きに突出されて循環空気の一部をせき止める上分岐壁２２とで構成する。分岐構造を介して第３通路６内へ導入された循環空気を加熱するために、下分岐壁２１の前端にシーズヒーター（ヒーター）２３を配置し、下分岐壁２１の下面の近傍に、シーズヒーター２３で加熱された加温空気の温度を検出する第２温度センサー２４を配置している。シーズヒーター２３は、下分岐壁２１に固定した複数個のホルダー２５で支持されて、同ヒーター２３の近傍を流動する循環空気を直接加熱する。
【００３５】
上記のように、シーズヒーター２３で加熱された加温空気を第３吹出口１３から高温エリアＡ２へ向かって吹出すことにより、高温エリアＡ２の底部、あるいは中間ダクト９の真上に位置する棚板８を加温空気で加熱することができる。従って、高温エリアＡ２の底部、あるいは中間ダクト９の真上に位置する棚板８が、中間ダクト９を通過する冷気で冷却されるのを防止でき、同時に棚板８の下面に結露が生じるのを防止できる。なお、シーズヒーター２３は、第２温度センサー２４を通過する空気の温度が２０℃未満のとき１００％通電され、第２温度センサー２４を通過する空気の温度が２０℃以上になると０％通電状態となるように制御される。
【００３６】
以上のように構成したショーケースは、第１通路４を介して送給される冷気を、第１吹出口１１と、図６に示すように、内ケース３の後壁３ａに設けた第３吹出口１３から吹出して、低温エリアＡ１の内部を低い温度状態（例えば５℃）に保持することができる。また、循環空気を第２吹出口１２から吹出し、さらに加温空気または循環空気を第３吹出口１３から吹出して、高温エリアＡ２の内部を常温状態（例えば２０℃）に保持することができる。しかし、第３吹出口１３から吹出される冷気や加温空気は、陳列室２の左右側端に行き渡りにくく、そのため、低温エリアＡ１や高温エリアＡ２の左右側端の温度と中央部の温度とに差が生じやすい。低温エリアＡ１では、左右側端の温度が左右中央部の温度より高くなり、高温エリアＡ２では、左右側端の温度が左右中央部の温度より低くなり、とくに、左右方向の幅寸法が大きなショーケースの場合に、その傾向が顕著に表れる。
【００３７】
上記のような、各温度エリアＡ１・Ａ２における温度むらを解消するために、図３および図４に示すように第１通路４の縦通路４ｂと第３通路６との左右両側に吹出チャンバー２７・２７を区画している。さらに、吹出チャンバー２７に送給された冷気あるいは加温空気を、同チャンバー２７の前面の両側に設けた一群の第１吹出穴２８から吹出すようにしている。
【００３８】
図３に示すように、最下段のダンパー開口１４より下側の後壁３ａには、一群の第２吹出穴３６が開口してある。この第２吹出穴３６へ向かって、熱交換後の冷気を充分に送給するために、蒸発器１６の上端より上方の後壁３ａの後面に、せき止壁３７が中間壁１７へ向かって突出してある（図２参照）。せき止壁３７で変向案内された冷気は、一群の第２吹出穴３６から吹出供給される。
【００３９】
図３に示すように、第２吹出穴３６は左右方向に直線列を構成する状態で後壁３ａの上下５個所に形成してある。このように、最下段のダンパー開口１４より下側に多数個の第２吹出穴３６を開口することにより、第１吹出口１１および第３吹出口１３と、第１吹出穴２８から冷気を吹出すことに加えて、第２吹出穴３６からも冷気を吹出して低温エリアＡ１の全体をむらなく５℃に保持することができる。せき止壁３７より下方の第１通路４の下端部には、熱交換後の冷気の温度を検出する第１温度センサー３８が配置してある。
【００４０】
図１に示すように、中間ダクト９は、厚板状に形成される中空のダクト本体４０を備えており、ダクト本体４０の前部下面に第１吹出口１１が開口してある。また、ダクト本体４０の後端にダンパー部４１が一体に形成され、その下面に冷気入口４２が下向きに開口してある。第１吹出口１１には、冷気の吹出し方向を吸込口１０へ向かって指向させる格子状の整流枠４３が配置してあり、ダンパー部４１の後端には、シール壁１８との接合隙間を塞ぐシール体４４が固定してある（図１参照）。ダクト本体４０の左右幅は、棚板８の左右幅より僅かに小さく設定してあり、ダンパー部４１の左右幅はダンパー開口１４の左右幅より僅かに小さく設定してある。
【００４１】
ダンパー部４１をダンパー開口１４に差込み装着した状態において、中間ダクト９を安定した状態で支持するために、ダクト本体４０の左右側壁と棚ブラケット７との間に、互いに係合する連結構造を設けている。図７に示すように連結構造は、ダクト本体４０の左右側壁に固定される雄連結体４５と、棚ブラケット７に固定される横臥Ｖ字状の雌連結体４６とで構成してある。雄連結体４５は、ベース部４７からダイヤ形の係合片４８を後向きに突出したプラスチック成形品からなる。また、雌連結体４６は、ベース部４９からＶ字状の弾性腕５０を前向きに突出し、その先端に先の係合片４８を挟持する挟持片５１を設けたプラスチック成形品からなる。
【００４２】
中間ダクト９のダンパー部４１の後端を、ドア１９に押付けながらダンパー開口１４に差込むと、図１に示すように、ドア１９が開放揺動されてダンパー部４１と冷気入口４２を第１通路４内に位置させることができる。また、ダンパー部４１は、第１通路４の縦通路４ｂと第３通路６を上下に区分しており、この状態のシール体４４はシール壁１８に接当している。従って、第１通路４に送給された熱交換後の冷気は中間ダクト９内へ導入され、第１吹出口１１から吸込口１０へ向かって吹出されて冷気のエアーカーテンを形成し、低温エリアＡ１に陳列された商品を冷却できる。
【００４３】
ダンパー部４１をダンパー開口１４に差込み装着した状態では、図１に示すように、ダクト本体４０の後端が後壁３ａで支持され、後端のシール体４４がシール壁１８で受止められる。さらに、雄連結体４５の係合片４８が、雌連結体４６の挟持片５１で上下に挟持される。従って、ダンパー開口１４の装着した状態の中間ダクト９を安定した状態で支持することができ、さらにダンパー部４１がダンパー開口１４から分離するのを阻止できる。この状態のドア１９は、接合壁１９ａの折曲げ縁がダンパー部４１の上壁で受止められている。
【００４４】
以上のように構成したショーケースによれば、図６に示すように、縦通路４ｂを介して供給された冷気を第１吹出口１１と第３吹出口１３から吹出し、同時に縦通路４ｂと通口３２を介して吹出チャンバー２７に送給された冷気を、左右の第１吹出穴２８から低温エリアＡ１へ吹出供給できる。さらに、最下段のダンパー開口１４より下側のエリアにおいては、第２吹出穴３６から冷気を吹出して、低温エリアＡ１の全体を低温の状態に保持できる。
【００４５】
第３通路６内に導入されてシーズヒーター２３で加熱された加温空気は、ダンパー部４１より上側に位置する第３吹出口１３から高温エリアＡ２へ吹出され、さらに、通口３２を介して吹出チャンバー２７に送給された加温空気が第１吹出穴２８から吹出されて、高温エリアＡ２を低温エリアＡ１より高温の状態に保持する。とくに、第３吹出口１３から高温エリアＡ２へ吹出された加温空気は、中間ダクト９の真上に位置する棚板８、あるいはその上面に陳列された商品群に接触して、棚板８あるいは商品群を常温の状態に維持する。従って、高温エリアＡ２の底部の温度が、高温エリアＡ２の他の部位の温度より低くなるのを解消して、商品の食感や食味が損なわれるのを確実に防止できる。棚板８の下面が中間ダクト９の冷気で冷却されて結露が生じることもない。
【００４６】
上記のように、吹出チャンバー２７の内部には、縦通路４ｂから送給された冷気と、第３通路６から送給された加温空気とが同時に存在する。しかし、冷気の比重は加温空気の比重に比べて大きく、逆に加温空気の比重は冷気の比重に比べて小さい。そのため、冷気が吹出チャンバー２７の上部へ流動することはなく、同様に加温空気が吹出チャンバー２７の下部へ流動することもない。そのため、冷気と加温空気との隣接部分においては、両者の一部が混在する状態で存在し、近くの第１吹出穴２８から低温エリアＡ１または高温エリアＡ２に吹出されることが予想される。しかし、冷気と加温空気の殆どは、冷気と加温空気との隣接部分以外に設けられた第１吹出穴２８から、対応する各エリアＡ１・Ａ２へ適正に吹出されるので、低温エリアＡ１の温度状態、および高温エリアＡ２の温度状態を適正に維持することができる。
【００４７】
また、第２通路５を介して送給された循環空気を、第２吹出口１２から吸込口１０へ向かって吹出すことにより、高温エリアＡ２の前面を常温のエアーカーテンで覆って、高温エリアＡ２内の加温された空気が高温エリアＡ２の外へ流出するのを防止できる。同様に、常温のエアーカーテンは、冷気のエアーカーテンの前面を覆って、低温エリアＡ１の冷気が低温エリアＡ１の外へ流出するのを防止できる。従って、加温空気、あるいは冷気が陳列室２の外へ散逸するのを防止して、エネルギーの無駄な消費を解消できる。加温空気の漏出しがない分だけ高温エリアＡ２を効果的に加温できる。
【００４８】
吸込口１０から吸込まれた循環空気は、常温の空気と低温エリアＡ１内を冷却した後の冷気とを含んでいる。また、第２通路５内へ導入された循環空気は、蒸発器１６の後を通過する間に僅かではあるが冷却されて低温になる。しかし、第３通路６に導入された循環空気は、シーズヒーター２３で強制的に加熱されるので、高温エリアＡ２の内部温度を常に常温の状態に保持することができる。なお、低温エリアＡ１へ送給される調和空気量と、高温エリアＡ２へ送給される調和空気量とは、後者を１とするとき前者は２．５に設定してある。
【００４９】
上記のように構成した２温度式のショーケースにおいては、低温エリアＡ１の内部温度を低温の状態に維持して、お茶、ジュース、炭酸飲料などを冷やすことができる。また、高温エリアＡ２の内部温度を常温の状態に維持して、おにぎりや弁当などが冷却されるのを防ぐ。２温度式のショーケースは、中間ダクト９を取外すことにより、陳列室２の全体を低温エリアＡ１にして冷蔵ショーケースとして使用することができる。その場合には、第１通路４内に送給された冷気の大半を、分岐構造を介して第２通路５へ循環させ、第２吹出口１２から吹出すことができる。この状態の全てのダンパー開口１４はドア１９で塞がれており、冷気の大半が流動抵抗が小さな第２通路５側へ流動するので、第３吹出口６から吹出される冷気の量が減少し、第１吹出穴２８から吹出される冷気の量も減少する。そのため、２温度式のショーケースとして使用する場合に比べて、第２吹出口１２から吹出される循環空気（冷気）の量が増加する。なお、ショーケースを冷蔵ショーケースとして使用する場合には、シーズヒーター２３への通電は停止される。
【００５０】
図８ないし図１０は、吹出チャンバー２７の内部構造を変更した別の実施例を示す。そこでは、吹出チャンバー２７を、横隔壁２９で上多段状に区画された小区画３０で構成した。この場合の横隔壁２９は、各ダンパー開口１４の設置個数に対応して配置してある。また、各小区画３０と第３通路６、あるいは各小区画３０と縦通路４ｂとは、それぞれ縦隔壁３１に開口した通口３２を介して連通し、吹出チャンバー２７の前面を覆う吹出壁３３に、各小区画３０ごとに第１吹出穴２８を開口する。
【００５１】
以上のように、吹出チャンバー２７を多段状の小区画３０で構成すると、吹出チャンバー２７の内部に送給された冷気と加温空気とが混じりあうのを確実に防止できる。これにより、縦通路４ｂと通口３２を介して各小区画３０に送給された冷気は、第１吹出穴２８から低温エリアＡ１のみへ吹出供給され、さらに、第３通路６と通口３２を介して各小区画３０に送給された加温空気は、第１吹出穴２８から高温エリアＡ２へのみ吹出供給される。従って、低温エリアＡ１の温度状態、および高温エリアＡ２の温度状態をさらに適正に維持することができる。他は、先の実施例と同じであるので、同じ部材に同じ符号を付してその説明を省略する。
【００５２】
上記の実施例では、シーズヒーター２３で循環空気を加熱するようにしたが、シーズヒーター２３に換えて面状ヒーターやニクロム線ヒーターを熱源にして循環空気を加熱してもよい。蒸発器１６は、縦通路４ｂの上下複数箇所に配置することができる。第３吹出口１３、第１吹出穴２８、第２吹出穴３６の開口形状および配置パターンは、自由に設定できるので、実施例で説明した開口形状および配置パターンには限定しない。棚板８は板ガラス以外に、金属板材やプラスチック板材で形成してあってもよい。
【００５３】
高温エリアＡ２の設定温度は２０℃以上であってもよく、例えば設定温度が４０〜５０℃であってもよい。その場合には、分岐構造の位置を第２通路５の上端寄りに設けて第３通路６の上下長さを大きくし、その内部に複数のシーズヒーター２３を配置して、加温空気の温度を高温度にすることができる。ゴムマグネットの代わりに、磁石２０で接合壁１９ａを吸着して、ドア１９の閉じ姿勢を保持することができる。
【符号の説明】
【００５４】
１  本体ケース
２  陳列室
３  内ケース
３ａ  内ケースの後壁
４  第１通路
５  第２通路
６  第３通路
９  中間ダクト
１０  吸込口
１１  第１吹出口
１２  第２吹出口
１３  第３吹出口
１４  ダンパー開口
１９  ドア
２３  シーズヒーター（ヒーター）
２７  吹出チャンバー
２８  第１吹出穴
２９  横隔壁
３０  小区画
３１  縦隔壁
３２  通口
４０  ダクト本体
４１  ダンパー部
Ａ１  低温エリア
Ａ２  高温エリア
【図１】
2014037916.tif 000003
【図２】
2014037916.tif 000004
【図３】
2014037916.tif 000005
【図４】
2014037916.tif 000006
【図５】
2014037916.tif 000007
【図６】
2014037916.tif 000008
【図７】
2014037916.tif 000009
【図８】
2014037916.tif 000010
【図９】
2014037916.tif 000011
【図１０】
2014037916.tif 000012